(57)【要約】      （修正有）【課題】  デジタルカメラに用いるスライダバーインタフェース、ならびにデジタルカメラによって記録されたビデオを表示、編集およびスクロールする改良された方法を提供する。【解決手段】  静止画の閲覧、ビデオの閲覧、およびビデオの編集の際に用いられる改良されたユーザインタフェース50を有するデジタルカメラ10ならびにデジタルカメラによって記録されたビデオを表示、編集およびスクロールする方法60である。左右の摺動可能ボタンは、それぞれのスイッチを作動させるために押下され、左の摺動可能ボタンを押下することにより、ビデオの最初のフレームを選択してそれより前のフレームをクロップし、右の摺動可能ボタンを押下することにより、ビデオの最後のフレームを選択してそれより後のフレームをクロップする。【選択図】    図１ｂ
2005143109.tif 000002
【特許請求の範囲】
【請求項１】
デジタル画像を取り込む画像センサと、
前記画像センサに結合されたプロセッサと、
前記画像センサおよび前記プロセッサに結合され、取り込んだ画像を記憶するメモリデバイスと、
記録された画像を選択的に表示するディスプレイデバイス、スライドバー、および左右の摺動可能ボタンを含むことを特徴とするユーザインタフェースであって、前記左右の摺動可能ボタンは、前記スライドバーにわたって左右の方向に移動することができるとともに、前記摺動可能ボタンのそれぞれの位置に対応する記憶された静止画を表示するように動作する、ユーザインタフェースと
を備えることを特徴とするデジタルカメラ。
【請求項２】
前記左右の摺動可能ボタンを押下することにより、それぞれのスイッチを作動することができることを特徴とする請求項１に記載のデジタルカメラ。
【請求項３】
前記左の摺動可能ボタンを押下することにより、ビデオの最初のフレームを選択してそれより前のフレームをクロップすることができ、前記右の摺動可能ボタンを押下することにより、ビデオの最後のフレームを選択してそれより後のフレームをクロップすることができることを特徴とする請求項２に記載のデジタルカメラ。
【請求項４】
前記ディスプレイデバイスは、カラー画像およびテキストオーバーレイを表示することができることを特徴とする請求項１に記載のデジタルカメラ。
【請求項５】
前記ディスプレイデバイスは、液晶ディスプレイを含むことを特徴とする請求項４に記載のデジタルカメラ。
【請求項６】
前記左右の摺動可能ボタンを摺動させることにより、カメラに記憶された画像をスクロールすることができることを特徴とする請求項１に記載のデジタルカメラ。
【請求項７】
デジタル画像を取り込む画像センサと、該画像センサに結合されたプロセッサと、前記画像センサおよび前記プロセッサに結合され、取り込んだ画像を記憶するメモリデバイスと、記録された画像を選択的に表示するディスプレイデバイス、スライドバー、および左右の摺動可能ボタンを含むユーザインタフェースであって、前記左右の摺動可能ボタンは、前記スライドバーにわたって互いを超えずに左右の方向に移動することができるとともに、前記摺動可能ボタンのそれぞれの位置に対応する記録された静止画を表示するように動作する、ユーザインタフェースと、を備えるデジタルカメラを提供するステップと、
ビデオを前記デジタルカメラに記録するステップと、
前記左右の摺動可能ボタンを前記スライドバーにわたって摺動させて、前記摺動可能ボタンのそれぞれの位置に対応する記憶された静止画を表示することによって、前記ビデオの個々のフレームを前記ディスプレイデバイスに表示するステップと、
を含むことを特徴とする方法。
【請求項８】
記録された前記ビデオは、前記左右の摺動可能ボタンを選択的に押下することによってクロップされ、前記左の摺動可能ボタンを押下することにより、ビデオの最初のフレームを選択してそれより前のフレームをクロップし、前記右の摺動可能ボタンを押下することにより、ビデオの最後のフレームを選択してそれより後のフレームをクロップすることを特徴とする請求項７に記載の方法。
【請求項９】
前記ディスプレイデバイスは、カラー画像およびテキストオーバーレイを表示することが可能であることを特徴とする請求項７に記載の方法。
【請求項１０】
前記左右の摺動可能ボタンを選択的に摺動させて、前記カメラに記憶された画像をスクロールするステップをさらに含むことを特徴とする請求項７に記載の方法。
【発明の詳細な説明】
【技術分野】
【０００１】
本発明は、包括的にはデジタルカメラに関し、より具体的には、デジタルカメラ、スライドバーインタフェース、ならびにデジタルカメラによって記録されたビデオを表示、編集およびスクロールする方法に関する。
【背景技術】
【０００２】
本発明の譲受人はデジタルカメラ等を開発する。このようなデジタルカメラは、静止画およびビデオ画像を記憶または記録するために用いることができる。
【発明の開示】
【発明が解決しようとする課題】
【０００３】
記録されたビデオを表示および編集し、記録されたビデオのフレームをスクロールする能力を有することが望ましい。これに対処する従来の実施態様は、比較的低速で比較的非直感的であった。
【０００４】
記録されたビデオの高速かつ効率的な表示および編集ならびに記録されたビデオのフレームのスクロールを行う直感的なデジタルカメラインタフェースを有することが望ましいだろう。本発明の１態様は、デジタルカメラに用いるスライダバーインタフェース、ならびにデジタルカメラによって記録されたビデオを表示、編集およびスクロールする改良された方法を提供する。
【課題を解決するための手段】
【０００５】
本発明の１実施形態は、静止画の閲覧、ビデオの閲覧、およびビデオの編集の際に用いられる改良されたユーザインタフェースを有するデジタルカメラを提供する。デジタルカメラによって記録されたビデオを表示、編集およびスクロールする方法も提供する。
【０００６】
例示的なユーザインタフェースは、カラー画像およびテキストオーバーレイを表示する液晶ディスプレイ（ＬＣＤ）と、ディスプレイの下にある２つのスライダボタンおよび１つのスライダバーとを含む。各スライダボタンは、（互いを超えずに）左右に移動することができるとともに、押下してスイッチを作動することができる。
【０００７】
例として、このインタフェースが、カメラによって記録されたビデオをクロップ(crop)するように機能する方法は以下の通りである。既存のものと同様のメニューおよびファイル選択システムにより、ＬＣＤ上で閲覧するビデオを選択する。
【０００８】
ビデオを再生する代わりに、ビデオを静止フレームのみで表示する。表示されているフレームは、どちらかのスライダボタンが移動されている位置に対応し、初期設定では左のスライダボタンの位置に対応する。例えば、閲覧するビデオを選択したときに左のスライダボタンが中央にある場合、ビデオの中央にあるフレームを表示する。ユーザが左のスライダボタンを左に動かすと、ビデオフレームは、スライダボタンの位置に対応して変化する（戻る）。右のスライダボタンを動かすと、カメラは、右のスライダボタンの位置に対応するビデオフレームを自動的に表示する。
【０００９】
上述の方法を用いれば、ユーザは、ビデオの最初のフレームと最後のフレームを選択することができる。ビデオをクロップするには、ユーザはスライダボタンを押下する。左のスライダボタンを押下すると、ビデオはクロップされ、左のスライダボタンの位置に対応するフレームのところで始まるようになる。右のスライダボタンを用いても同じことが起こる。
【発明の効果】
【００１０】
本発明の実施態様は、以前のものよりも単純で直感的なユーザインタフェースを提供し、ユーザがデジタルカメラの多数の画像を迅速かつ容易にスクロールして、静止画であれビデオであれ、画像を編集することを可能にする。
【００１１】
本発明の実施形態の様々な特徴および利点は、以下の発明を実施するための最良の形態を参照し、添付図面とともに解釈することでより容易に理解することができる。図面中、同様の参照番号は同様の構造要素を示す。
【発明を実施するための最良の形態】
【００１２】
図面を参照すると、図１ａおよび図１ｂはそれぞれ、本発明の原理によるデジタルカメラ１０の例示的な実施形態を示す正面図および背面図を示す。この例示的なデジタルカメラ１０は、改良されたユーザインタフェース５０を備える。
【００１３】
例示的なデジタルカメラ１０は、ハンドグリップ部２０および本体部３０を備える。ハンドグリップ部２０は、ロックラッチ２２を有する電源ボタン２１と、シャッターボタンまたは記録ボタン２３と、電池２７を収容するバッテリーコンパートメント２６とを備える。図１ａに示すように、計測要素４３およびマイクロホン４４が、デジタルカメラ１０の前面４２に配置される。ポップアップフラッシュ４５が、デジタルカメラ１０の上面４６に隣接して位置する。
【００１４】
図１ａに示すように、デジタルカメラ１０はまた、レンズまたは結像光学要素１２と、結像光学要素１２によって送られてくる光画像を受け取り、そのデジタル画像を取り込む画像センサ１３とを備える。プロセッサ１４（またはマイクロプロセッサ１４）が画像センサ１３（ならびに他の制御構成要素および入力／出力構成要素）に結合される。取り込んだ画像を記憶するために用いられるメモリデバイス１６が画像センサ１３およびプロセッサ１４に結合される。
【００１５】
図１ｂに示すように、例示的なデジタルカメラ１０の背面３１は、ディスプレイデバイス３２（例えばカラー液晶ディスプレイ（ＬＣＤ）等）と、背面マイクロホン３３と、ジョイスティックパッド３４と、ズーム制御ダイヤル３５と、カメラ１０の機能を設定するための複数のボタン３６と、画像を例えば外部ディスプレイデバイスまたはコンピュータへダウンロードするための出力ポート３７とを含む。
【００１６】
デジタルカメラ１０は、本発明による、静止画の閲覧、ビデオの閲覧、およびビデオの編集の際に用いられる改良されたユーザインタフェース５０を備える。例示的なユーザインタフェース５０は、カラー画像５６およびテキストオーバーレイ５５を表示することが可能な液晶ディスプレイ（ＬＣＤ）３２と、液晶ディスプレイ３２の下に位置することが好ましい（ただし位置は様々であってよい）２つのスライダボタン５２、５３および１つのスライダバー５１とを含む。各スライダボタン５２、５３は、互いを越えずに左右に移動することができるとともに（スライダボタン５２、５３の上の矢印で示される）、押下してスイッチを作動することができる。したがって、スライダボタン５２、５３は可動スイッチングデバイスを含む。
【００１７】
例として、インタフェース５０が、カメラ１０によって記録されたビデオをクロップするように機能する方法は以下の通りである。例えば既存のカメラにおいて用いられているメニューおよびファイル選択システムを用いて、液晶ディスプレイ３２上で閲覧するビデオを選択する。メニューおよびファイル選択システムは、例示的なデジタルカメラ１０において、例えばジョイスティックパッド３４および／または複数のボタン３６のうち選択されたものを用いて実施してもよい。
【００１８】
ビデオを再生する代わりに、ビデオの静止フレーム（例えば図１ｂに示す画像５６）を表示する。表示されるフレームは、どちらかのスライダボタン５２、５３が移動されている位置に対応し、初期設定では左のスライダボタン５２の位置に対応する。例えば、閲覧するビデオを選択したときに左のスライダボタンがスライドバー５１の中央にある場合、ビデオの中央にあるフレームを表示する。ユーザが左のスライダボタン５２を左に動かすと、ビデオフレームは、左のスライダボタン５２の位置に対応して変化する（戻る）。右のスライダボタン５３を動かすと、カメラ１０は、右のスライダボタン５３の位置に対応するビデオフレームを自動的に表示する。
【００１９】
上述の方法を用いれば、ユーザは、ビデオの最初のフレームと最後のフレームを選択することができる。ビデオをクロップするには、ユーザはスライダボタン５２、５３を押下する。左のスライダボタン５２を押下すると、ビデオはクロップされ、左のスライダボタン５２の位置に対応するフレームのところで始まるようになる。右のスライダボタン５３を用いても同じことが起こる。
【００２０】
スライダボタン５２、５３はまた、カメラ１０に記憶された静止画を閲覧するために用いることができる。例えば、カメラ１０が１０枚の画像を記憶しており、左のスライダボタン５２が３０％右方向にある場合、３枚目の画像を表示する。スライダボタン５２を動かすと、表示される画像は変化する。これにより、ユーザは、記憶された画像を迅速にスクロールすることができる。この特徴は、カメラの画像記憶容量が増大し、カメラのマイクロプロセッサ１４がこの機能を効率的に行うのに十分迅速にデータを処理できるようになるのに伴って、より重要になる。
【００２１】
図２は、本発明の例示的な方法６０を示すフロー図である。この例示的な方法６０は以下のステップを含む。
【００２２】
結像光学要素１２と、結像光学要素１２によって送られてくる光画像を受け取り、そのデジタル画像を取り込む画像センサ１３と、画像センサ１３に結合されたプロセッサ１４と、画像センサ１３およびプロセッサ１４に結合されており、取り込んだ画像を記憶するメモリデバイス１６と、記録された画像を選択的に表示するディスプレイデバイス３２（例えば液晶ディスプレイ等）、スライドバー５１、および左右の摺動可能ボタン５２、５３を含むユーザインタフェース５０であって、左右の摺動可能ボタン５２、５３は、スライドバー５１にわたって互いを超えずに左右の方向に移動することができるとともに、摺動可能ボタン５２、５３のそれぞれの位置に対応する記録された静止画を表示するように動作する、ユーザインタフェース５０とを備えるデジタルカメラ１０を提供する６１。
【００２３】
ビデオをデジタルカメラ１０によって記録する６２。左右の摺動可能ボタン５２、５３をスライドバー５１にわたって互いを越えずに摺動させて、摺動可能ボタンのそれぞれの位置に対応する記録された静止画を表示することによって、ビデオの個々のフレームをディスプレイデバイス３２に表示する６３。記録されたビデオを、左右の摺動可能ボタン５２、５３を選択的に押下することによってクロップし、左の摺動可能ボタン５２を押下することにより、ビデオの最初のフレームを選択してそれより前のフレームをクロップし、右の摺動可能ボタン５３を押下することにより、ビデオの最後のフレームを選択してそれより後のフレームをクロップする６４。ユーザは、左右の摺動可能ボタン５２、５３を選択的に摺動させることによって、カメラ１０に記憶された画像をスクロールすることができる６５。
【００２４】
したがって、改良されたデジタルカメラ、スライドバーインタフェースおよび方法を開示してきた。上述の実施形態は、本発明の原理の応用を表す多くの具体的な実施形態のいくつかを例示するに過ぎないことが理解されるべきである。明らかに、当業者は、本発明の範囲から逸脱することなく、多数の他の構成（arrangements）を容易に考案することができる。
【図面の簡単な説明】
【００２５】
【図１ａ】本発明の原理によるユーザインタフェースを使用するデジタルカメラの例示的な実施形態を示す正面図である。
【図１ｂ】本発明の原理によるユーザインタフェースを使用するデジタルカメラの例示的な実施形態を示す背面図である。
【図２】本発明の原理による例示的な方法を示すフロー図である。
【符号の説明】
【００２６】
１０  デジタルカメラ
１３  画像センサ
１４  プロセッサ
１６  メモリデバイス
３２  ディスプレイデバイス
５１  スライドバー
５２，５３  スライダボタン
【図１ａ】
2005143109.tif 000003
【図１ｂ】
2005143109.tif 000004
【図２】
2005143109.tif 000005